(57)【要約】【課題】ノイズ等に対して、大当たり時の表示の確実性を高める。【解決手段】遊技制御装置２０からの指令信号に基づいて可変表示装置４に識別情報の変動遊技表示および演出表示を行う表示制御装置４０を備え、可変表示装置４の識別情報の変動遊技表示の結果態様が予め定められた特別表示結果態様の場合、遊技者に有利な特別遊技状態を発生可能な遊技機において、可変表示装置４に識別情報の変動遊技表示中に、遊技制御装置２０から受信した信号に特別遊技状態の演出表示に関する情報が含まれている場合に、変動遊技表示中の識別情報を特別表示結果態様にて強制的に停止表示する。【選択図】図６
2010012332.tif 000002
【特許請求の範囲】
【請求項１】
複数の識別情報を変動表示する可変表示装置を備え、
始動口への遊技球の入賞に基づき前記変動表示を行うとともに、大当り発生の抽選を行い、該大当り抽選結果が大当りとなった場合に特別遊技を発生させる遊技機において、
遊技を統括的に制御するとともに、前記可変表示装置における表示制御に用いる指令信号を送信する遊技制御装置と、
前記遊技制御装置からの指令信号に基づいて表示制御を行う表示制御装置と、を含み、
前記遊技制御装置と前記表示制御装置との間の情報通信形態は、前記遊技制御装置から前記表示制御装置へ向かう方向にのみデータを送信可能に構成し、
前記遊技制御装置は、
遊技状態に応じた遊技状態信号を遊技機外部の設備装置に送信可能に構成されるとともに、
前記指令信号として変動表示の変動内容を指示する信号と、変動表示の停止を指示する信号と、ファンファーレ表示を指示する信号と、大当り終了表示を指示する信号と、を前記表示制御装置へ送信し、
前記表示制御装置は、前記可変表示装置に識別情報の変動表示中に、前記変動表示の停止を指示する信号が受信されずに、前記大当りのファンファーレの表示を指示する信号を受信した場合には、識別情報の変動表示を所定の特別表示結果態様にて強制停止表示させて、ファンファーレ表示を行うことを特徴とする遊技機。
【発明の詳細な説明】
【技術分野】
【０００１】
本発明は、遊技機に関し、詳しくは可変表示装置の識別情報の変動遊技表示、演出表示の制御技術に関する。
【背景技術】
【０００２】
パチンコ機等の遊技機においては、遊技領域の略中央に配置された可変表示装置での可変表示ゲームにより遊技を行っている。可変表示ゲームは、遊技領域の始動口へ入賞することにより、可変表示装置の左、中、右の各図柄が変動を開始し、所定時間後に図柄が停止して特定の図柄（例えば、「７，７，７」等の三つ揃い）が揃った場合には、大当たりとして遊技領域の下部に設けられているアタッカー（変動入賞装置）の開放を繰り返し、遊技球が多数入賞することで遊技者に賞球等の賞価値を付与するものである。
【０００３】
可変表示装置に図柄を表示させるために、可変表示装置の表示制御を行う表示制御装置と、表示制御装置とは別個の遊技制御装置が設けられている。遊技制御装置は遊技制御の中心となる装置であり、前述の大当たり発生を決定する機能が備えられている他、図柄の表示態様、種々の演出表示等を指令する指令信号を表示制御装置に対して送信する機能も有する。
【０００４】
可変表示装置には図柄画像だけでなく演出用に背景画像およびキャラクタ画像を表示するが、これらを表示する場合に、各画像に優先順位を付けて優先順位のより高い画像を優先的に表示して、優先順位の低い画像と高い画像とが重なった場合には、重なった部分の優先順位の低い画像を表示しないような表示制御が行われている。
【０００５】
また、大当たり時の表示（演出表示、情報表示）として、ファンファーレ表示、大当たり遊技（特別遊技）に関する各種表示（特別遊技のラウンド表示、入賞情報表示等）が行われている。
【０００６】
なお、遊技制御装置と表示制御装置との間の情報通信形態は、遊技制御装置から表示制御装置へ向かう方向にのみデータを送信可能な構成としている。
【発明の概要】
【発明が解決しようとする課題】
【０００７】
ところで、この可変表示装置における図柄の表示、演出表示は、遊技制御装置から表示制御装置に送信される指令信号に１対１で対応して、指令信号毎に１コマずつ行っていた。例えば、図柄は、遊技制御装置が指令信号に含まれる図柄番号情報と図柄の位置を指定する図柄位置情報を更新しながら、指令信号を連続して表示制御装置へ送ることにより、図柄の変動速度を自在に変えながら図柄の変動／停止の制御を行っていた。
【０００８】
しかし、そのために大量のデータを遊技制御装置から表示制御装置へ送信し、その大量のデータに対応した表示を表示制御装置で可変表示装置に出力するように、遊技制御装置や表示制御装置に大量のデータ処理能力が必要であり、またそれだけ遊技機の検査機関による検査やメーカーにおける開発時において、指令信号の検証や遊技制御装置のプログラム検証に時間を要してしまっている。
【０００９】
そこで、図柄やその他の表示が変化する場合だけ、遊技制御装置から表示制御装置へその動作や変化を指示する指令信号を送信して、その指令信号に基づいて表示制御装置が表示を制御することが考えられるが、このようにするとノイズ等の影響が懸念される。
【００１０】
例えば、大当たりが発生する場合、図柄の変動表示が終了した後、大当たりのファンファーレ表示、大当たり遊技に関する各種表示が行われるが、この場合図柄の変動表示を終了する信号のデータが、ノイズ等によって変わったり送信されなかったりすると、変動中の図柄が表示されたまま大当たりの表示に入ってしまい、図柄と大当たり表示の演出表示（背景画像、キャラクタ画像）、情報表示とが重なった状態で表示されてしまう。
【００１１】
そのため、せっかく大当たりが発生しても遊技者は満足感を得にくく、ゲーム性および遊技の興趣を著しく損なう恐れがあった。
【００１２】
本発明は、ノイズ等に対して、大当たり時の表示の確実性を高めることを目的とする。
【課題を解決するための手段】
【００１３】
本発明は、複数の識別情報を変動表示する可変表示装置を備え、始動口への遊技球の入賞に基づき前記変動表示を行うとともに、大当り発生の抽選を行い、該大当り抽選結果が大当りとなった場合に特別遊技を発生させる遊技機において、遊技を統括的に制御するとともに、前記可変表示装置における表示制御に用いる指令信号を送信する遊技制御装置と、前記遊技制御装置からの指令信号に基づいて表示制御を行う表示制御装置と、を含み、前記遊技制御装置と前記表示制御装置との間の情報通信形態は、前記遊技制御装置から前記表示制御装置へ向かう方向にのみデータを送信可能に構成し、前記遊技制御装置は、遊技状態に応じた遊技状態信号を遊技機外部の設備装置に送信可能に構成されるとともに、前記指令信号として変動表示の変動内容を指示する信号と、変動表示の停止を指示する信号と、ファンファーレ表示を指示する信号と、大当り終了表示を指示する信号と、を前記表示制御装置へ送信し、前記表示制御装置は、前記可変表示装置に識別情報の変動表示中に、前記変動表示の停止を指示する信号が受信されずに、前記大当りのファンファーレの表示を指示する信号を受信した場合には、識別情報の変動表示を所定の特別表示結果態様にて強制停止表示させて、ファンファーレ表示を行うことを特徴とする。
【発明の効果】
【００１４】
本発明によれば、遊技者が識別情報の変動遊技表示の結果態様が特別表示結果態様になったことを視認でき、違和感なく遊技者が特別遊技状態発生を満喫できる。
【図面の簡単な説明】
【００１５】
【図１】本発明の実施の形態の遊技盤を示す正面図である。
【図２】遊技機の制御系を示すブロック構成図である。
【図３】表示制御装置を示すブロック構成図である。
【図４】遊技制御の処理手順を示すフローチャートである。
【図５】遊技制御の処理手順を示すフローチャートである。
【図６】指令信号の送信データを示す図である。
【図７】サイクル遊技指令信号のデータ内容を示す図表である。
【図８】サイクル遊技指令信号のデータ内容を示す図表である。
【図９】サイクル遊技指令信号のデータ内容を示す図表である。
【図１０】表示制御のフローチャートである。
【図１１】大当たり時の表示の例を示す説明図である。
【図１２】大当たり終了後の表示の例を示す説明図である。
【図１３】他の実施の形態の表示制御のフローチャートである。
【発明を実施するための形態】
【００１６】
以下、添付図面に基づいて、本発明の実施の形態について説明する。
【００１７】
図１は弾球遊技機（パチンコ遊技機）の遊技盤１の正面図である。
【００１８】
この遊技盤１の表面において、ガイドレール２で囲われた部分が遊技領域３となる。遊技領域３のほぼ中央には、遊技の進行に対応した画像を表示する可変表示装置（特別図柄表示装置）４が備えられる。可変表示装置４の表示画面部分は、例えばＬＣＤ（液晶表示器）、ＣＲＴ（ブラウン管）等から構成される（本実施形態ではＬＣＤを用いている）。この可変表示装置４の画像表示は、表示制御装置４０（図２参照）により制御される。
【００１９】
可変表示装置４の下方には、特別変動入賞装置（大入賞口）５が配設される。この特別変動入賞装置５の直ぐ上方には、電動式ゲート（普通変動入賞装置）６を有する始動口７が配設され、始動口７には入賞球を検出する特別図柄始動センサ（スイッチ）３０（図２参照）が設けられる。始動口７への遊技球の入賞タイミングは、入賞記憶として遊技制御装置２０（図２参照）に記憶されるとともに、この入賞記憶の数が、可変表示装置４の上部の特別図柄記憶表示器８に表示される。遊技制御装置２０は、この入賞記憶に基づき、大当たり発生の抽選を行う。
【００２０】
この大当たりの抽選のたびに、可変表示装置４の画像表示は可変状態となる。具体的には、表示画面の複数の表示領域（例えば３つの表示領域）のそれぞれに表示された識別情報（特別図柄）が変動（例えばスクロール）させられる。そして、抽選により遊技が大当たり状態となると、変動した各識別情報が所定の組み合わせ（特別表示結果態様）で停止されるとともに、特別変動入賞装置５を所定期間、球を受け入れない閉状態（遊技者に不利な第２状態）から球を受け入れやすい開状態（遊技者に有利な第１状態）に変換するサイクル遊技が規定回数（ラウンド数）繰り返される特別遊技状態が発生され、遊技者により多くの賞球獲得のチャンスが与えられる。
【００２１】
特別変動入賞装置５内には、特別変動入賞装置５への入賞球数をカウントするカウントセンサ（スイッチ）３１（図２参照）ならびに特別変動入賞装置５内に設けられた継続入賞口への入賞球を検出する継続センサ（スイッチ）３２（図２参照）が備えられる。
【００２２】
上記サイクル遊技は、このカウントセンサ３１により検出される特別変動入賞装置５への所定数（例えば１０個）の入賞または所定時間の経過（例えば３０秒）を１単位（１ラウンド）として実行される。そして、各ラウンドにおいて特別変動入賞装置５への所定数の入賞があり、かつ継続センサ３２により検出される継続入賞口への入賞がある限り、サイクル遊技は所定の上限値（例えば１６ラウンド）まで繰り返されるようになっている。
【００２３】
始動口７の基部には、例えば一桁の数字である普通図柄を表示する普通図柄表示器１０が配設される。そして、普通図柄始動センサ（スイッチ）３３（図２参照）により検出される、遊技領域に配設された通過口１１への遊技球の通過（普通図柄始動記憶）に基づき、普通図柄表示器１０における可変表示および遊技制御装置２０における普通図柄に関する抽選が行われる。この普通図柄に関する抽選が当たりとなると、普通図柄表示器１０が所定の当たり図柄で停止するとともに、始動口７の電動ゲート６が開かれる。なお、通過口１１を遊技球が通過したタイミングを示す普通図柄始動記憶は、遊技制御装置２０に記憶され、その記憶数は、普通図柄表示器８の回りの普通図柄記憶表示器１２に表示されようになっている。
【００２４】
遊技領域３には、以上の構成のほかに、一般入賞口１３、１４、遊技球の転動誘導部材（風車）１５、サイドランプ１６を初めとする装飾ランプ７１（図２参照）等が配設される。なお、このサイドランプ１６は異常報知ランプを兼ねており、点滅パターンの変更により不正行為等の異常発生を報知する。また、遊技領域３に配設される遊技釘の大部分および複数の装飾ＬＥＤ７２（図２参照）は、図示から省略されている。
【００２５】
遊技機の下部には、図示されない打球発射装置の操作部が配設され、その操作によって遊技球（パチンコ球）が１個ずつ遊技領域へ打ち出される。
【００２６】
図２は、弾球遊技機の遊技制御装置２０を中心とする制御系を示すブロック構成図である。
【００２７】
図示されるように、遊技制御装置２０は、ＲＯＭ２１Ａ、ＲＡＭ２１Ｂを内蔵した演算処理装置２１、入力インターフェイス２２、出力インターフェイス２３、発振器２４、リセット信号生成回路２５等から構成される。
【００２８】
演算処理装置２１には、始動口７の特別図柄始動センサ３０、特別変動入賞装置５内のカウントセンサ３１および継続センサ３２、通過口１１の普通図柄始動ゲートセンサ３３、セーフセンサ３４からの信号が入力される。ここで、セーフセンサ３４とは、各入賞装置（特別変動入賞装置５、始動口７、一般入賞口１３、１４）に入賞した遊技球（入賞球）が、図示されないセーフユニットに集められて来たときに、この入賞球を検出するセンサである。
【００２９】
演算処理装置２１は、これらの検出信号に基づいて、ＲＯＭ２１Ａに格納されたプログラム（遊技プログラム）により、所定のシーケンスを単位として、弾球遊技機における遊技の統括的な制御（遊技制御）を行う。
【００３０】
具体的に、演算処理装置２１は、大当たりの抽選（上記の入賞記憶に基づく、始動口７への遊技球の入賞が大当たりのタイミングにおいてなされた否かの判定）、表示制御装置４０への指令信号（図柄変動遊技指令信号、大当たり時指令信号等）の送信による可変表示装置４の表示制御、普通図柄表示器１０、特別図柄記憶表示器８、普通図柄記憶表示器１２の各表示の制御、特別変動入賞装置５の駆動用ソレノイド（特別変動入賞装置ソレノイド）３５および始動口７の電動式ゲート６の駆動用ソレノイド（普通変動入賞装置ソレノイド）３６への制御信号の送信による特別変動入賞装置５、電動式ゲート６の開閉制御、装飾ランプ７１、装飾ＬＥＤ７２の点滅動作の制御、音制御装置５０への指令信号（音指令情報）の送信によるスピーカ５１からの音声出力の制御、球排出制御装置６０への球排出指令情報の送信による球排出装置６１からの賞球および貸球の排出の制御を行う。なお、演算処理装置２１からの上記各種制御信号は、出力インターフェース２３のポートに出力され、通信用フォーマットに変換されてから、各種制御装置に送信される。
【００３１】
リセット信号生成回路２５は、発振回路２４のクロックパルスを分周して一定周期（例えば、２ｍｓｅｃ）のリセット割込信号を生成し、演算処理装置２１のリセット端子に入力する。演算処理装置２１は、このリセット割込信号の入力毎に、遊技プログラムを予め定めた所定番地から実行する。前述した遊技制御の１シーケンスの処理は、このリセット割込信号の割込時間（信号周期）内に納まるように構成されている。なお、この演算処理装置２１のリセットは、演算処理装置２１内でソフト的にかけることもできる。
【００３２】
遊技制御装置２０は、遊技店のホールコンピュータ（中央管理装置）７０に接続され、大当たりが発生したときの大当たり信号、確率変動状態への移行を示す確率変動信号、可変表示装置４における図柄停止を示す図柄停止信号、異常信号等が、ホールコンピュータ８０に送信される。
【００３３】
図３は、表示制御装置４０の構成を示すブロック構成図である。
【００３４】
図示されるように、表示制御装置４０は、ＣＰＵ４１、ＲＯＭ４１、ＲＡＭ４３、ＤＭＡ４４、入力インターフェイス４５、出力インターフェース４６、ＶＤＰ４７、可変表示装置４の画像データを格納したフォントＲＯＭ４８、クロック５９等から構成される。
【００３５】
ＣＰＵ４１は、入力インターフェイス４５を介して遊技制御装置２０からの通信割り込みを受けると、遊技制御装置２０からの指令信号（表示制御信号）の読み込みを行うとともに、この指令信号に基づいて画面情報（図柄表示情報、背景画面情報、動画キャラクタ画面情報等）を作成して、ＲＡＭ４３に記憶する。
【００３６】
この画面情報は、ＶＤＰ４７からＣＰＵ４１への垂直同期割り込みのタイミングで、ＶＤＰ４７から転送指令を受けたＤＭＡ４４により、ＶＤＰ４７に転送される。ＶＤＰ４７は、この画面情報に基づき、フォントＲＯＭ４８の該当画像データを取り込み、可変表示装置４の画面に水平走査、垂直走査を行って所定の画像表示を行う。
【００３７】
なお、遊技制御装置２０と表示制御装置４０との通信は、遊技制御装置２０から表示制御装置４０への一方向通信のみが可能とされている。これにより、表示制御装置４０側から遊技制御装置２０に不正な信号が送り込まれる不正行為を防止することができるとともに、検査機関による遊技制御装置２０の検査を容易化することができるようになっている。
【００３８】
図４、図５は、遊技制御装置２０における１シーケンスの遊技制御の処理手順を示すフローチャートである。なお、前述したように、この１シーケンスの遊技制御は、一定周期のリセット割り込み信号毎に繰り返される。
【００３９】
ステップＳ１では電源投入判定処理が実行され、リセット信号生成回路２５からのリセット割り込み信号が電源投入後の最初のものであるか否かが判定され、電源投入後の最初のものであると判定された場合には、ステップＳ２に進む。
【００４０】
ステップＳ２の初期化処理では、ＲＡＭ２１Ｂの検査用データ領域に所定値を格納する処理や、演算処理装置２１のレジスタを初期化する処理が実行され、そのままルーチン終了する。
【００４１】
一方、ステップＳ１でリセット割り込み信号が電源投入後の最初のものでないと判定された場合には、ステップＳ３に進み、スイッチ読み込み処理が実行される。このスイッチ読み込み処理では、各種センサ（特別図柄始動センサ３０、カウントセンサ３１、継続センサ３２、普通図柄始動センサ３３、セーフセンサ３４）から入力インターフェース２２のポートに入力された検出データを、チャタリング除去等の処理をして演算処理装置２１内へ読み込む。
【００４２】
ステップＳ４では、ポート出力処理が実行され、演算処理装置２１のバッファ内の各種制御用出力データが、出力インターフェース２３のポートに出力される。
【００４３】
ステップＳ５ではイベントカウンタ更新処理が実行され、演算処理装置２１内に備えられたイベントカウンタのカウンタ値を＋１更新する。ここで、イべントカウンタとは、後述するステップＳ６、ステップＳ１１、ステップＳ１２の時分割処理における分岐を決定するものであり、例えば０〜７の範囲で循環して更新される８進カウンタからなる。
【００４４】
ステップＳ６は時分割処理であり、イベントカウンタの値に応じて対応する処理が選択的に実行される。
【００４５】
具体的には、イベントカウンタ値が２の場合にはステップＳ６．２の左図柄関連指令ポート出力処理が、またイベントカウンタ値が３の場合にはステップＳ６．３の右図柄関連指令ポート出力処理が、またイベントカウンタ値が４の場合にはステップＳ６．４の中図柄関連指令ポート出力処理が、それぞれ実行される。さらに、イベントカウンタ値が５の場合にはステップＳ６．５の背景関連指令ポート出力処理が、またイベントカウンタ値が６の場合にはステップＳ６．６のキャラクタ関連指令ポート出力処理が、またイベントカウンタ値が７の場合にはステップＳ６．７の音指令情報ポート出力処理が、それぞれ実行される。これらの指令ポート出力処理では、遊技の状態に応じて編集された各種指令信号のデータが、それぞれ出力インターフェース２３のポートに出力される。ポートに出力されたデータは、通信用のフォーマットに変換されて各種制御装置に出力される。なお、イベントカウンタ値が０、１の場合には処理は行われない。
【００４６】
ステップＳ７では、スイッチ読み込み情報対応処理が実行される。このスイッチ読み込み情報対応処理では、特別図柄始動センサ３０の入賞処理、普通図柄始動センサ３３の入賞処理、カウントセンサ３１による検出に基づく大入賞口への入賞個数を計数、継続センサ３２による検出に基づくラウンド継続を行うかどうかの判断等が実行される。
【００４７】
ステップＳ８では、賞球指令情報編集処理が実行され、球排出制御装置６０に送信される賞球指令情報が編集される。
【００４８】
ステップＳ９では、第１の各種乱数更新処理が実行され、大当たり決定に用いられる特別図柄乱数カウンタの更新等の処理が実行される。
【００４９】
ステップＳ１０では、遊技が異常状態に陥っているか否かの判定がなされる。そして、遊技が異常状態でなければ、続くステップＳ１１とステップＳ１２の時分割処理を順次実行する。一方、遊技が異常状態であればステップＳ１１の時分割処理を行わずにステップＳ１２の時分割処理を実行する。
【００５０】
ステップＳ１１は、異常状態発生時には実行されない時分割処理であり、賞（賞球）の付与を決定する遊技に関連する処理が集約的に配置されている。
【００５１】
具体的には、イベントカウンタ値が０の場合にはステップＳ１１．０の特別図柄ゲーム進行制御処理が、イベントカウンタ値が１の場合にはステップＳ１１．１の特別図柄変動制御処理が、イベントカウンタ値が２の場合にはステップＳ１１．２の普通図柄ゲーム進行制御処理が、イベントカウンタ値が３の場合にはステップＳ１１．３の普通図柄変動制御処理が、それぞれ実行される。特別図柄ゲーム進行制御処理では、始動口７への入賞記憶があるか否かを判定する処理、特別図柄の変動停止を監視する処理、特別図柄に関する大当たりの判定を行う処理、大当たり時の各種動作、可変表示装置４の表示（ファンファーレ表示、サイクル遊技表示等）を制御する処理等が実行される。また、特別図柄変動制御処理では、表示されるべき特別図柄を示すポインタの更新処理等が実行される。また、普通図柄ゲーム進行制御処理、普通図柄変動制御処理においては、普通図柄に関して、特別図柄ゲーム進行制御処理、特別図柄変動制御処理と対応する処理がそれぞれ実行される。なお、イベントカウンタ値が４〜７の場合には処理は行われない。
【００５２】
ステップＳ１２は異常状態発生時でも実行される時分割処理であり、賞の付与を決定する遊技に関連しない処理が集約的に配置されている。具体的には、イベントカウンタ値が２の場合にはステップＳ１２．２のカウントＳＷ関連異常監視処理を、イベントカウンタ値が３の場合にはステップＳ１２．３のメカ装置出力情報処理を、イベントカウンタ値が４の場合にはステップＳ１２．４の発光装置出力情報編集処理を、イベントカウンタ値が５の場合にはステップＳ１２．５の各種出力情報合成処理を、イベントカウンタ値が７の場合にはステップＳ１２．７の営業用情報編集処理を、それぞれ実行する。ステップＳ６の時分割処理で出力インターフェース２３のポートに出力された各種指令信号のデータは、Ｓ１２．５の各種出力情報合成処理において編集される。なお、イベントカウンタ値が０、１、６の場合には処理は行われない。
【００５３】
ステップＳ２１は第２の各種乱数更新処理であり、各種乱数の更新処理が次回のリセット割り込み信号までの残余時間にわたって繰り返される。
【００５４】
図６は、遊技制御装置２０から表示制御装置４０への指令信号（図柄変動遊技指令信号、大当たり時指令信号等）を示すもので、通信割り込み要求データ信号の送信毎に送信され、３つの送信データ（モードデータ、オブジェクトデータ、アクションデータ）がストローブ信号と同期して順次送信される。
【００５５】
モードデータは、図柄変動モード、可変表示装置４の左、中、右の３つの表示領域（左図柄、中図柄、右図柄）、背景画像、動画キャラクタ画像等を示すコードである。
【００５６】
オブジェクトデータは、図柄番号データ、大当たり中を指示するコードである。
【００５７】
アクションデータは、図柄変動の動作内容（高速変動、中速変動、低速変動、揺れ動作、回転動作、一旦停止、停止を含む）、背景画像、動画キャラクタ画像の選択、およびサイクル遊技の各データを指示するコードである。
【００５８】
図柄変動遊技指令信号としては、図柄変動の動作内容を変化させる毎に、所定の指令信号（モードデータは左、中、右の表示領域を示す０１Ｈ〜０３Ｈ、オブジェクトデータは図柄番号データを示す０１Ｈ〜、アクションデータは高速変動、中速変動、低速変動、揺れ動作、回転動作、一旦停止、停止の動作内容を示す０１Ｈ〜）が送信される。
【００５９】
大当たり時指令信号としては、大当たりが発生すると、図柄の変動停止後、大当たりのファンファーレ表示を行わせるファンファーレ指令信号（モードデータは背景画像を示す０４Ｈ等、オブジェクトデータは大当たり中を示す０ＢＨ）が送信される。このファンファーレ表示後、大当たりのサイクル遊技指令信号が送信される。
【００６０】
このサイクル遊技指令信号のデータ内容を図７〜図９に示す。サイクル遊技の開始前には、モードデータとして０４Ｈが、オブジェクトデータとして大当たり中を示す０ＢＨが、アクションデータとしてサイクル遊技が何ラウンド目かを示すデータ（０１Ｈ〜）が、それぞれ送信される。
【００６１】
サイクル遊技の開始時には、モードデータとして０５Ｈが、オブジェクトデータとして大当たり中を示す０ＢＨが、アクションデータとして特別変動入賞装置５の入賞カウント数“０”および大当たり発生図柄を示すデータ（２１Ｈ〜）が、それぞれ送信される。
【００６２】
サイクル遊技中には、モードデータとして０５Ｈが、オブジェクトデータとして大当たり中を示す０ＢＨが、アクションデータとして特別変動入賞装置５に入賞する毎に入賞カウント数（０１Ｈ〜０ＡＨ）が、それぞれ送信される。また、この場合特別変動入賞装置５の継続入賞口へ入賞すると、アクションデータとして入賞カウント数と共に次のサイクル遊技の継続可を示すデータ（１１Ｈ〜１ＡＨ）が、送信される。
【００６３】
なお、大当たりが終了すると、大当たりの終了表示を行わせる終了指令信号が送信される。
【００６４】
表示制御装置４０は、図柄変動遊技指令信号に基づき、図柄変動遊技時の図柄、背景画像、動作キャラクタ画像を、大当たり時指令信号に基づき、大当たり時の背景画像、動作キャラクタ画像を表示させると共に、背景画像、動作キャラクタ画像、図柄画像等が重なった場合、動作キャラクタ画像、図柄画像、背景画像の順に優先的に表示させる。
【００６５】
一方、表示制御装置４０は、図柄変動遊技表示中に大当たり時指令信号を受信した場合等、図１０の制御を行う。
【００６６】
図１０に示すように、ステップＳ５１では受信した指令信号に大当たりの演出表示に関する情報が含まれているか、つまり背景画像モード、動作キャラクタ画像モードのオブジェクトが大当たり中を示す０ＢＨ（大当たり時指令信号）かどうかを見る。
【００６７】
ＮＯのときは、ステップＳ５２にて所定の優先表示処理を行う。図柄変動遊技表示中は、背景画像、動作キャラクタ画像、図柄画像等が重なった場合、動画キャラクタ画像、図柄画像、背景画像の順に優先表示して、図柄変動遊技表示を行う。
【００６８】
ＹＥＳのときは、ステップＳ５３にて図柄が表示されているか、つまり図柄変動遊技表示中どうかを判定して、ＹＥＳの場合、ステップＳ５４に進み、図柄非表示処理を行う。
【００６９】
図柄非表示処理は、変動遊技表示中の図柄が背景画像に隠れるように、図柄の優先順位を下げ、図柄を非表示とする。この場合、図柄の変動遊技表示を不可として終了させるようにしても良い。
【００７０】
また、大当たりの終了後はステップＳ５１からステップＳ５２に進み、図柄変動遊技指令信号を受信した場合、動画キャラクタ画像、図柄画像、背景画像の順に優先表示して、図柄変動遊技表示を行う。
【００７１】
このような構成により、遊技が行われ、始動口７へ遊技球が入賞すると、その入賞記憶に基づき、大当たり用乱数等による大当たり発生の抽選が、つまり可変表示装置４の複数の図柄の変動表示が行われると共に、抽選が大当たりとなると、変動した各図柄が所定の組み合わせ（特別表示結果態様）で停止され、大当たり状態（特別遊技状態）が発生される。
【００７２】
図柄の変動表示は、停止を指令する図柄変動遊技指令信号に基づき停止され、その停止後、大当たり時指令信号に基づき大当たりのファンファーレ表示、サイクル遊技に関する各種表示が行われ、特別変動入賞装置５を所定期間開状態に変換するサイクル遊技が行われる。
【００７３】
この際、図柄の変動表示の停止を指令する図柄変動遊技指令信号が、ノイズ等によって変わったり送信されなかったりすると、図柄の変動表示が行われたまま大当たり時指令信号に基づき大当たりの表示に入ってしまい、図１１（ｂ）のように図柄と大当たりの演出表示等が重なってしまうが、このような場合、図柄の変動表示が非表示または不可として終了される。
【００７４】
このため、大当たり状態が発生した場合、図１１（ｃ）（図柄を非表示とした場合、図中の点線は実際は見えない）または（ｄ）（図柄を不可として消した場合）のように大当たりの演出表示等を的確に行え、これによりゲーム性および遊技の興趣を損なうことがなく、遊技者に十分に大当たり発生の満足感を与えることができる。
【００７５】
特に、本発明のように図柄変動の動作内容や大当たり時の表示を変化させる場合だけ、遊技制御装置２０から表示制御装置４０へ指令信号を送信して、その指令信号に基づき表示制御装置４０が可変表示装置４の表示を制御するものでは、ノイズ等による影響を受けやすいが、このように大当たり時の表示への影響を防止できる。
【００７６】
また、大当たり状態の終了後、図柄変動遊技指令信号が送信されると、図１２（ａ）〜（ｄ）のように、大当たりの終了表示後、図柄変動遊技指令信号に基づき可変表示装置４に複数の図柄の変動表示が行われる。このため、図柄変動遊技に確実に復帰できる。
【００７７】
したがって、指令信号およびそのデータ量を十分に少なくしつつ、表示の信頼性を向上することができる。
【００７８】
図１３は本発明の他の実施の形態を示す。
【００７９】
これは、表示制御装置４０が、図柄変動遊技表示中に大当たり時指令信号を受信した場合、図柄の変動表示を所定の組み合わせ（特別表示結果態様）で強制的に停止表示して、その停止表示後、大当たりの表示を行うようにする（ステップＳ６１〜６４）。
【００８０】
したがって、図柄の変動表示の停止を指令する図柄変動遊技指令信号が、ノイズ等によって変わったり送信されなかった場合、図１１（ａ）から（ｆ）、（ｇ）のように変動表示中の図柄を大当たりの組み合わせで的確に停止表示した後、大当たりの表示に入ることができる。この場合、図１１（ｅ）のように目標図柄が現れるまで変動表示を継続する。
【００８１】
このようにすれば、遊技者が図柄が大当たりの組み合わせで揃ったことを視認でき、違和感なく遊技者が大当たりの発生を満喫できる。
【００８２】
特許請求の範囲に記載した以外の本発明の観点の代表的なものとして、次のものがあげられる。
【００８３】
（１）遊技を統括的に制御する遊技制御装置と、遊技制御装置からの指令信号に基づいて可変表示装置に識別情報の変動遊技表示および演出表示を行う表示制御装置とを備え、可変表示装置の識別情報の変動遊技表示の結果態様が予め定められた特別表示結果態様の場合、遊技者に有利な特別遊技状態を発生可能な遊技機において、前記表示制御装置は、前記可変表示装置に識別情報の変動遊技表示中に、前記遊技制御装置から受信した信号に特別遊技状態の演出表示に関する情報が含まれている場合に、識別情報の変動遊技表示を非表示もしくは不可とする非表示手段を備えることを特徴とする遊技機。
【００８４】
（２）遊技を統括的に制御する遊技制御装置と、遊技制御装置からの指令信号に基づいて可変表示装置に識別情報の変動遊技表示および演出表示を行う表示制御装置とを備え、可変表示装置の識別情報の変動遊技表示の結果態様が予め定められた特別表示結果態様の場合、遊技者に有利な特別遊技状態を発生可能な遊技機において、前記表示制御装置は、前記可変表示装置に識別情報の変動遊技表示中に、前記遊技制御装置から受信した信号に特別遊技状態の演出表示に関する情報が含まれている場合に、変動遊技表示中の識別情報を所定の特別表示結果態様にて強制的に停止表示する強制停止手段を備えることを特徴とする遊技機。
【００８５】
（３）前記表示制御装置は、特別遊技状態の終了後、前記遊技制御装置から識別情報の変動遊技の信号を受信した場合に、識別情報の変動遊技表示を再開する（１）または（２）に記載の遊技機。
【００８６】
（４）複数の識別情報を変動表示する可変表示装置を備え、始動口への遊技球の入賞に基づき前記変動表示を行うとともに、大当り発生の抽選を行い、該大当り抽選結果が大当りとなった場合に特別遊技を発生させる遊技機において、遊技を統括的に制御するとともに、前記可変表示装置における表示制御に用いる指令信号を送信する遊技制御装置と、前記遊技制御装置からの指令信号に基づいて表示制御を行う表示制御装置と、を含み、前記遊技制御装置と前記表示制御装置との間の情報通信形態は、前記遊技制御装置から前記表示制御装置へ向かう方向にのみデータを送信可能に構成し、前記遊技制御装置は、遊技状態に応じた遊技状態信号を遊技機外部の設備装置に送信可能に構成されるとともに、前記指令信号として変動表示の変動内容を指示する信号と、変動表示の停止を指示する信号と、ファンファーレ表示を指示する信号と、大当り終了表示を指示する信号と、を前記表示制御装置へ送信し、前記表示制御装置は、前記可変表示装置に識別情報の変動表示中に、前記変動表示の停止を指示する信号が受信されずに、前記大当りのファンファーレの表示を指示する信号を受信した場合には、識別情報の変動表示を所定の特別表示結果態様にて強制停止表示させて、ファンファーレ表示を行うことを特徴とする遊技機。
【符号の説明】
【００８７】
４  可変表示装置
５  特別変動入賞装置
２０  遊技制御装置
３０  特別図柄始動センサ
３１  カウントセンサ
３２  継続センサ
４０  表示制御装置
【図１】
2010012332.tif 000003
【図２】
2010012332.tif 000004
【図３】
2010012332.tif 000005
【図４】
2010012332.tif 000006
【図５】
2010012332.tif 000007
【図６】
2010012332.tif 000008
【図７】
2010012332.tif 000009
【図８】
2010012332.tif 000010
【図９】
2010012332.tif 000011
【図１０】
2010012332.tif 000012
【図１１】
2010012332.tif 000013
【図１２】
2010012332.tif 000014
【図１３】
2010012332.tif 000015
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
遊技を統括的に制御する遊技制御装置と、
遊技制御装置からの指令信号に基づき可変表示装置にて識別情報の変動表示および演出表示を行う表示制御装置と、を備え、
遊技制御装置から変動表示の停止を指令する指令信号に基づき、表示制御装置は可変表示装置の識別情報の変動表示を停止させ、その結果態様が予め定められた特別表示結果態様となった場合に、遊技者に有利な特別遊技状態を発生可能な遊技機において、
前記遊技制御装置と前記表示制御装置との間の情報通信形態は、前記遊技制御装置から前記表示制御装置へ向かう方向にのみデータを送信可能に構成し、
前記表示制御装置は、
前記可変表示装置の識別情報の変動表示中に、前記遊技制御装置から変動表示の停止を指令する指令信号が送信されず、該遊技制御装置から受信した指令信号に特別遊技状態の演出表示に関する情報が含まれている場合は、識別情報の変動表示を非表示もしくは不可とし、
特別遊技状態の発生中に、特別遊技状態を導出させることとなった前記特別表示結果態様に対応する識別情報を前記可変表示装置に表示し、
前記特別遊技状態の終了後に、前記遊技制御装置から識別情報の変動表示を指示する指令信号を受信した場合は、識別情報の変動表示を再開することを特徴とする遊技機。
【請求項２】
前記遊技制御装置は、前記特別遊技状態が発生したことに基づいて、前記特別表示結果態様を特定する情報を前記表示制御装置に送信することを特徴とする請求項１に記載の遊技機。
【手続補正２】
【補正対象書類名】明細書
【補正対象項目名】００１３
【補正方法】変更
【補正の内容】
【００１３】
本発明は、遊技を統括的に制御する遊技制御装置と、遊技制御装置からの指令信号に基づき可変表示装置にて識別情報の変動表示および演出表示を行う表示制御装置と、を備え、遊技制御装置から変動表示の停止を指令する指令信号に基づき、表示制御装置は可変表示装置の識別情報の変動表示を停止させ、その結果態様が予め定められた特別表示結果態様となった場合に、遊技者に有利な特別遊技状態を発生可能な遊技機において、前記遊技制御装置と前記表示制御装置との間の情報通信形態は、前記遊技制御装置から前記表示制御装置へ向かう方向にのみデータを送信可能に構成し、前記表示制御装置は、前記可変表示装置の識別情報の変動表示中に、前記遊技制御装置から変動表示の停止を指令する指令信号が送信されず、該遊技制御装置から受信した指令信号に特別遊技状態の演出表示に関する情報が含まれている場合は、識別情報の変動表示を非表示もしくは不可とし、特別遊技状態の発生中に、特別遊技状態を導出させることとなった前記特別表示結果態様に対応する識別情報を前記可変表示装置に表示し、前記特別遊技状態の終了後に、前記遊技制御装置から識別情報の変動表示を指示する指令信号を受信した場合は、識別情報の変動表示を再開することを特徴とする遊技機。
【手続補正３】
【補正対象書類名】明細書
【補正対象項目名】００１４
【補正方法】変更
【補正の内容】
【００１４】
本発明によれば、特別遊技状態が発生するときは、識別情報の変動表示を停止する指令信号へのノイズ等による影響によって変動表示が停止しなくなった場合でも、その発生と共に特別遊技状態の演出表示に的確に移行でき、したがってゲーム性および遊技の興趣を損なうことがなく、遊技者に特別遊技状態発生の満足感を十分に与えることができ、表示の信頼性が向上する。
【手続補正４】
【補正対象書類名】明細書
【補正対象項目名】００８６
【補正方法】変更
【補正の内容】
【００８６】
（４）複数の識別情報を変動表示する可変表示装置を備え、始動口への遊技球の入賞に基づき前記変動表示を行うとともに、大当り発生の抽選を行い、該大当り抽選結果が大当りとなった場合に特別遊技を発生させる遊技機において、遊技を統括的に制御するとともに、前記可変表示装置における表示制御に用いる指令信号を送信する遊技制御装置と、前記遊技制御装置からの指令信号に基づいて表示制御を行う表示制御装置と、を含み、前記遊技制御装置と前記表示制御装置との間の情報通信形態は、前記遊技制御装置から前記表示制御装置へ向かう方向にのみデータを送信可能に構成し、前記遊技制御装置は、遊技状態に応じた遊技状態信号を遊技機外部の設備装置に送信可能に構成されるとともに、前記指令信号として変動表示の変動内容を指示する信号と、変動表示の停止を指示する信号と、ファンファーレ表示を指示する信号と、大当り終了表示を指示する信号と、を前記表示制御装置へ送信し、前記表示制御装置は、前記可変表示装置に識別情報の変動表示中に、前記変動表示の停止を指示する信号が受信されずに、前記大当りのファンファーレの表示を指示する信号を受信した場合には、識別情報の変動表示を非表示又は不可にして、ファンファーレ表示を行うことを特徴とする遊技機。